(57)【要約】【課題】介護者、被介護者双方に負荷をかけずに、仰臥状態のまま使い捨ておむつの交換を容易に行うことができる取替え支援器具を提供することを目的とする。【解決手段】展開状態のテープタイプの使い捨ておむつをスリット１２乃至スリット１４及び係止孔１５によって可撓性板状体１１上に固定載置可能な使い捨ておむつ取替え支援器具１であって、被介護者を仰臥させたまま、使い捨ておむつの後見頃を宛がう位置の側方背部から、前記固定載置された板状体１１を被介護者の体型に沿って湾曲させながら、被介護者と敷体との間を摺動挿入することができるものを提供する。【選択図】図１
2018000675.tif 000002
【特許請求の範囲】
【請求項１】
展開状態において、片面に吸収体を備えた平面状のシートと、当該シートの長手方向両端部の両側縁から各々外側方向に延出するサイドフラップと、前記両端部の相対するサイドフラップを前記シートの中央部を境界として一方を前身頃とし、他方を後見頃としてパンツ形状に形成するために締結する締結部とを有する使い捨ておむつの取替え支援器具であって、
前記展開状態において、前記後見頃側の両サイドフラップと当該両サイドフラップの間に介在する前記シートの短手方向の領域とを結ぶ直線上の領域を少なくとも載置可能する可撓性の板状体と、
前記板状体に、前記載置された領域の直線方向と同一の方向に並列形成され、各々の長手方向が前記直線方向に対して直交する方向に切り抜かれた複数のスリットと、
前記載置された領域で、前記シートの短手方向の中央部に対応する位置であって、前記複数のスリットの間に形成された係止孔と、を有し、
前記板状体は、前記複数のスリットに、前記両サイドフラップを蛇行状に折り返し挿通されるとともに、前記係止孔で前記シートを押入係止されることによって前記領域で使い捨ておむつが固定載置され、仰臥位の被介護者に対して、前記固定載置された使い捨ておむつの後見頃を宛がう位置の側方背部から、前記直線方向と同一方向に向かって前記固定載置された板状体を被介護者の体型に沿って湾曲させながら、被介護者と敷体との間を摺動挿入するものであることを特徴とする使い捨ておむつ取替え支援器具。
【請求項２】
前記複数のスリットは、近接して形成された第１スリット及び第２スリットと、第１スリットと第２スリットとの間よりも、離間させた位置に形成された第３スリットから成り、前記第２スリットと前記第３スリットとの間の中間部に前記係止孔を形成し、前記一方のサイドフラップは、前記板状体の載置面から第２スリットに挿通され、第１スリットから前記載置面に向かって折返し挿通され、他方のサイドストラップは、前記載置面から第３スリットに挿通されるものであることを特徴とする請求項１記載の使い捨ておむつ取替え支援器具。
【請求項３】
前記係止孔は、長軸が前記スリットの長手方向と平行になるように並列配置された楕円形状であることを特徴とする請求項１又は請求項２記載の使い捨ておむつ取替え支援器具。
【請求項４】
前記板状体は、前記係止孔に対して、第１スリット及び第２スリットが形成された側の端部を円弧状に形成し、当該円弧上の端部側から前記摺動挿入するものであることを特徴とする請求項２又は請求項３記載の使い捨ておむつ取替え支援器具。
【請求項５】
前記板状体は、前記摺動挿入側と反対側の端部に押し込み用取っ手を設けたことを特徴とする請求項１から請求項４までのいずれか１項に記載の使い捨ておむつ取替え支援器具。
【請求項６】
前記第１スリット及び第２スリットが形成された側の端部に、引き出し用取っ手を設けたことを特徴とする請求項１〜請求項５までのいずれか１項に記載の使い捨ておむつ取替え支援器具。
【請求項７】
前記板状体の載置面は、前記シートに対して高摩擦係数の素材を備え、前記載置面と反対側の裏面は、前記被介護者が仰臥する敷体に対して低摩擦係数の素材を備えたものであることを特徴とする請求項１から請求項５までのいずれか１項に記載の使い捨ておむつ取替え支援器具。
【請求項８】
所定の剛性を有し、前記被介護者と敷体との間に先端部を挿入し、前記第１スリット及び第２スリットが形成された側の端部から摺動挿入する空間を設けるために使用される棒状の別体補助具を備えたことを特徴とする請求項１から請求項７までのいずれか１項に記載の使い捨ておむつ取替え支援器具。
【発明の詳細な説明】
【技術分野】
【０００１】
本発明は、使い捨ておむつの取替えの際に使用する取替え支援器具に関するものである。
【背景技術】
【０００２】
近年、高齢者人口の増加に伴い、介護の作業負荷が増大している。特に、いわゆる寝たきりの被介護者に対するおむつの取替え作業負荷は大きい。一般に、仰向け状態で寝ている被介護者を介護者側に背を向けるように９０度回転して横臥させた状態で、おむつの交換の一連作業をする必要がある。このおむつの着脱作業を１人の被介護者に対して、２人の介護者が行うのであれば、作業負荷はさほど大きくないが、恒常的に介護要員が不足している現状では、この着脱作業は、通常１人で行わなければならない。したがって、一方の手で、前記横臥状態を維持するために被介護者の体を支持しつつ、他方の手でおむつの交換作業をしなければならないため、大きな負担となる。したがって、一般に、交換作業、交換後の処理（廃棄）が容易な使い捨ておむつが使用される。
【０００３】
使い捨ておむつは、主に、いわゆるパンツ型とテープ型の２つのタイプがある。パンツ型は、予めパンツ形状になっているもので、主に、被介護者が自立して交換できる場合、または立った状態で交換できる場合に利用される。一方、テープ型は、装着前は、片面に吸収体を備えた平面状のシートであって、当該シートの長手方向両端部の両側縁から各々外側方向に延出するサイドフラップと、当該サイドフラップに締結部を備えた展開状態であり、装着時には、前記両端部の相対するサイドフラップを前記シートの中央部を境界として一方を前身頃とし、他方を後見頃として前記締結部で締結し、パンツ形状に形成する構成になっている。従って、被介護者が、前記寝たきりの場合、主に、使用されるのはこのテープ型の使い捨ておむつである。
【０００４】
従来、前記テープ型の使い捨ておむつ（以下、特に指定しない限り、「使い捨ておむつ」という。）の交換作業に対して、前記作業負荷を軽減するために、各種の支援器具が提案されていた。古くは、被介護者の体や足をベッドの手すりなどを利用して宙吊り状態にし、被介護者と敷体との間に空間を設けておむつを交換するものが多数提案されていたが、セッティングの作業負荷が大きいうえ、宙吊りにされるという、被介護者にとって、肉体的、精神的負担が大きいためこのような支援器具は普及していないのが現実である。
【０００５】
上記のような問題点に鑑み、例えば、敷体と腰部、又は腸骨の付近に差し入れて使用する器具であって、本体は繰り返し作業による汚れを洗浄するために水分や湿気を吸収することがなく、使用時の体重を分散させて背骨の保護と左右の傾斜を可能とするために弾力性に富んだ硬質素材を用いて、円弧と楕円との組み合わせによって形成されたおむつ交換器具が提案されていた（例えば、特許文献１参照。）。かかる交換器具によれば、敷体に差し入れた臀部領域から膝の付近までを交換機具を起立されることにより、被介護者を浮上さて所定の空間を形成することができるため、被介護者を宙吊りにしなくても、使い捨ておむつの交換が可能なる。
【０００６】
また、平面部を有する平坦な交換マットを備えた外部交換補助具であって、前記平面部は、係合手段を含む領域及びそのような係合手段を含まない領域を有し、前記係合手段は、使い捨ておむつ等の吸収性物品の一部に係合して保持するようになっており、前記吸収性物品は、着用者の下部胴部の外部に着用されるようになっており且つ締結手段を有しており、前記係合手段は、着用に際して前記吸収性物品を所定位置に締結するために前記締結手段が使用されている場合に、又は、前記吸収性物品の取り外しのために前記締結手段が解放されている場合に、前記吸収性物品の前記一部に係合して保持するようになっており、これにより、前記係合手段に前記吸収性物品が係合されたときに前記吸収性物品の装着又は取り外しのそれぞれを支援するものが提案されていた（例えば、特許文献２参照。）。かかる交換補助具によれば、使い捨ておむつに係合するときに特定の剥離力及び／又は剪断力し、交換マット状で固定されるため、装着を容易にする。
【先行技術文献】
【特許文献】
【０００７】
【特許文献１】特開２００６−２９６５３９号公報
【特許文献２】特表２００４−５３５８７５号公報
【発明の概要】
【発明が解決しようとする課題】
【０００８】
しかしながら、特許文献１にかかる先行技術では、交換器具がセッティングされると、被介護者の体勢は、いわゆる「えびぞり」状態になる。腰部に障害がある場合は当然、顕著な障害がない場合でも、交換作業中、被介護者の体力的負担は大きくなるという問題があった。
【０００９】
また、特許文献２にかかる先行技術では、使い捨ておむつを展開状態で維持する機能は認められるものの、被介護者と敷体との間に、どのように挿入するのか明示されておらず、依然として、外部交換補助具をセッティングするために、介護者が被介護者を持ち上げる等、作業負荷が要求されることになり、前記問題点を根本的に改善することはできないという問題があった。
【００１０】
本発明は、上記課題を解消させるためのものであり、介護者、被介護者双方に負荷をかけずに、仰臥状態のまま使い捨ておむつの交換を容易に行うことができる取替え支援器具を提供することを目的とする。
【課題を解決するための手段】
【００１１】
上記目的を達成させるために、本発明にかかる使い捨ておむつ取替え支援器具は、使い捨ておむつをスリットと係止孔によって可撓性板状体上に固定載置することにより、介護者が、被介護者を仰臥させたまま前記板状体を湾曲させて当該被介護者と敷体との間に摺動挿入させる使い捨ておむつ取替え支援器具を提供することを最も主要な特徴とする。
【００１２】
すなわち、展開状態において、片面に吸収体を備えた平面状のシートと、当該シートの長手方向両端部の両側縁から各々外側方向に延出するサイドフラップと、前記両端部の相対するサイドフラップを前記シートの中央部を境界として一方を前身頃とし、他方を後見頃としてパンツ形状に形成するために締結する締結部とを有する使い捨ておむつの取替え支援器具であって、
前記展開状態において、前記後見頃側の両サイドフラップと当該両サイドフラップの間に介在する前記シートの短手方向の領域とを結ぶ直線上の領域を少なくとも載置可能する可撓性の板状体と、
前記板状体に、前記載置された領域の直線方向と同一の方向に並列形成され、各々の長手方向が前記直線方向に対して直交する方向に切り抜かれた複数のスリットと、
前記載置された領域で、前記シートの短手方向の中央部に対応する位置であって、前記複数のスリットの間に形成された係止孔と、を有し、
前記板状体は、前記複数のスリットに、前記両サイドフラップを蛇行状に折り返し挿通されるとともに、前記係止孔で前記シートを押入係止されることによって前記領域で使い捨ておむつが固定載置され、仰臥位の被介護者に対して、前記固定載置された使い捨ておむつの後見頃を宛がう位置の側方背部から、前記直線方向と同一方向に向かって前記固定載置された板状体を被介護者の体型に沿って湾曲させながら、被介護者と敷体との間を摺動挿入するものであることを特徴とする。
【００１３】
前記複数のスリットは、近接して形成された第１スリット及び第２スリットと、第１スリットと第２スリットとの間よりも、離間させた位置に形成された第３スリットから成り、前記第２スリットと前記第３スリットとの間の中間部に前記係止孔を形成し、前記一方のサイドフラップは、前記板状体の載置面から第２スリットに挿通され、第１スリットから前記載置面に向かって折返し挿通され、他方のサイドストラップは、前記載置面から第３スリットに挿通される構成としてもよい。
【００１４】
また、前記係止孔は、長軸が前記第１スリット乃至第３スリットの長手方向と平行になるように並列配置された楕円形状であってもよい。
【００１５】
さらに、前記板状体は、前記係止孔に対して、第１スリット及び第２スリットが形成された側の端部を円弧状に形成し、当該円弧上の端部側から前記摺動挿入するものであってもよい。
【００１６】
前記板状体は、前記摺動挿入側と反対側の端部に押し込み用取っ手を設けてもよい。
【００１７】
前記第１スリット及び第２スリットが形成された側の端部に、引き出し用取っ手を設けてもよい。
【００１８】
前記板状体の載置面は、前記シートに対して高摩擦係数の素材を備え、前記載置面と反対側の裏面は、前記被介護者が仰臥する敷体に対して低摩擦係数の素材を備えたものであってもよい。
【００１９】
所定の剛性を有し、前記被介護者と敷体との間に先端部を挿入し、前記第１スリット及び第２スリットが形成された側の端部から摺動挿入する空間を設けるために使用される棒状の別体補助具を備えたものであってもよい。
【発明の効果】
【００２０】
本発明にかかる使い捨ておむつ取替え支援器具は、被介護者は、仰臥のままで使い捨ておむつを交換することができ、一方、介護者は、被介護者を横臥等、一定の姿勢に支持する必要がなく、使い捨ておむつを載置した可撓性板状体を湾曲状にするだけで、容易に被介護者と敷体との間に挿入して使い捨ておむつを装着できるため、介護者、被介護者双方にとって、従来の支援器具と比べて、各段に物理的、心理的な負荷をかけずに、スムーズな装着作業ができるという効果を奏する。
【００２１】
また、セッティングの作業も、使い捨ておむつ取替え支援器具のスリットと係止孔に使い捨ておむつを挿通、押入するだけであり、迅速な作業が可能となり、介護の作業の効率化を図ることができるという効果を奏する。
【００２２】
さらに、本発明にかかる使い捨ておむつ取替え支援器具の部品点数は、きわめて少なく、比較的簡易な構造であるため、従来の支援器具に比べて、製造コスト、販売コストも低額に抑えることができ、高い普及度が期待できるという効果を奏する。
【図面の簡単な説明】
【００２３】
【図１】図１は、本発明にかかる使い捨ておむつ取替え支援器具を示した図であり、（ａ）は上面図、（ｂ）はＡ−Ａ‘線の側断面図である。
【図２】図２は、本発明にかかる使い捨ておむつ取替え支援器具に使い捨ておむつを載置した状態の図であり、（ａ）は上面図、（ｂ）はＡ−Ａ’線の側断面図である。
【図３】図３は、摺動挿入時に使用する別体の補助具の上面図である。
【図４】図４は、被介護者と敷体との間に使い捨ておむつを載置した取替え支援器具を挿入するときの状態を示した図であり、（ａ）は、補助具を使用しない場合の例を示した図、（ｂ）は、補助具を使用した場合の例を示した図である。
【発明を実施するための形態】
【００２４】
図１を参照して、１は、本発明にかかる使い捨ておむつ取替え支援器具である。使い捨ておむつ取替え支援器具１は、使い捨ておむつのうち、主に、いわゆるテープ型のものを展開状態で載置して使用するためのものである。図１（ａ）は、使い捨ておむつ取替え支援器具１の上面図であり、（ｂ）は、Ａ−Ａ‘線の側断面図である。
【００２５】
使い捨ておむつ取替え支援器具１の本体は、板状体１１から構成されている。板状体１１は、所定の可撓性を有するものであれば素材は特定されないが、たとえば、ポリカーボネートなどの熱可塑性プラスティックが好適である。
【００２６】
また、板状体１１の大きさ、形状についても、後述する機能を発揮するものであれば特定されないが、少なくとも、後述するように、展開状態の使い捨ておむつの所定の領域よりも、大きいことを要する。
【００２７】
本実施の形態では、長手方向の一端側１６を円弧状に形成した矩形を成し、他端側には、押し込み用取っ手１７を設けている。押し込み用取っ手１７は、別部品として板状体１１に取り付けるもののほか、前記他端側近傍を切り抜いて、板状体１１上に形成するものであてもよい（図示せず）。一方、一端側１６には、引き出し用取っ手１８が設けられている。引き出し用取っ手１８は、押し込み用取っ手１７同様別部品でもよいが、後述する摺動挿入の先端部分近傍であるため、スムーズな挿入のためには、第１スリット１２乃至第３スリット１４及び係止孔１５同様、板状体１１を穿孔して形成するのが好ましい。また、引き出し用取っ手１８の形状についても、特に限定はしないが、本実施の形態では、円弧状の一端側１６に平行して三日月形の形状に穿孔している。このような形状にすることにより、一端側１６から把持し易くなりスムーズな引き出しが可能となる。
【００２８】
板状体１１は、長手方向に複数のスリットが並列配置されている。スリットの数は、複数であればよく、特に具体的に限定はしないが、少ないと、後述する安定した固定載置が出来なくなる一方、多数のスリットを設けると、板状体１１の強度に影響する。本実施の形態では、３つのスリットを形成している。すなわち、板状体１１の中央部よりも、一端側１６寄りに、近接して第１スリット１２と第２スリット１３を形成し、前記中央部よりも、押し込み用取っ手１７側に第３スリット１４を形成している。なお、第１スリット乃至第３スリットの長手方向は、板状体１１の長手方向に直交する方向に形成される。
【００２９】
第２スリット１３と第３スリット１４との間の前記中央部には、第１スリット１２乃至第３スリット１４と並列する位置に係止孔１５が形成されている。係止孔１５も、後述する機能を奏する限り、形状は特に限定されないが、本実施の形態では、長軸が、第１スリット１２乃至第３スリット１４の長手方向と平行となる方向に並列配置された楕円形状である。なお、係止孔１５の周方向内側に係止突起を複数設けても良い（図示せず）。
【００３０】
図２は、板状体１１に使い捨ておむつＤを装着した状態を示したものであり、（ａ）は、上面図、（ｂ）は、Ａ−Ａ‘線の側断面図である。
【００３１】
使い捨ておむつＤは、例えば、本体シートＤ１と、本体シートＤ１上に重畳された吸収体Ｄ２と、本体シートＤ１の長手方向両端部で各両側縁から外側方向に延出する後見頃側サイドフラップＤ３、Ｄ４及び前見頃側サイドフラップＤ７、Ｄ８と、後見頃側サイドフラップＤ３、Ｄ４からさらに延出した舌片状の締結部Ｄ５、Ｄ６及びＤ９とから構成される。締結部は、前身頃側と後見頃側を締結できるものであれば締結手段は限定されないが、本実施の形態では、締結部Ｄ５、Ｄ６及びＤ９を面ファスナーとしている。すなわち、使い捨ておむつＤは、展開状態において、本体シートＤ１の略中央部から後見頃側サイドフラップＤ３、Ｄ４側の領域を仰臥状態の被介護者の腰部から臀部近傍に挿入し、前記中央部から前見頃側サイドフラップＤ７、Ｓ８側の領域を前記被介護者の股間から腹部方向に折返したときの上面部分に設けられた締結部Ｄ９と、後見頃側サイドフラップＤ３、Ｄ４に設けられた締結部Ｄ５、Ｄ６とを腸骨近傍で締結するように、いずれか一方がフックで他方をループとして形成すればよい。
【００３２】
なお、テープ型の使い捨ておむつの形態は多様であり、図２の使い捨ておむつＤは、使い捨ておむつ取替え支援器具１の機能を説明するために、簡略化して記載したものであり、細部について本実施の形態で示した構成に限定する趣旨ではない。
【００３３】
板状体１１の大きさ、形状は、前記した通り、特に限定されないが、使い捨ておむつＤの展開状態において、後見頃側サイドフラップＤ３、Ｄ４と当該両サイドフラップの間に介在する本体シートＤ１の短手方向の領域とを結ぶ直線Ｌ上の領域を少なくとも載置可能とすることを要する。板状体１１は、使い捨ておむつＤ全体を載置する大きさであってもよいが、大きくなると、被介護者と敷体との間に挿入するのに大きな力を要するうえ、携帯性も損なわれるため、多数の被介護者のおむつの交換作業の効率化を阻害する。よって、本実施の形態で示した大きさが好適である。
【００３４】
なお、板状体１１のサイズの一例としては、いわゆる使い捨ておむつのヒップサイズＭ乃至Ｌを想定すると、長手方向に９５ｃｍ前後、短手方向３５ｃｍ前後のものが好適である。また、第２スリット１３及び第３スリット１４は、長手方向２０ｃｍ前後、短手方向０．３ｃｍ前後であるが、たとえば、第１スリット１２は、長手方向１８ｃｍ前後、短手方向０．２ｃｍ前後、というように、第２スリット１３及び第３スリット１４よりも、全体サイズを小さめに形成することにより、後見頃側サイドフラップＤ３よりも、比較的薄手かつ短尺の締結部Ｄ５が主となる挿入箇所として好適である。係止孔１５は、後述するように、良好な密実性を奏するようにするために、長軸を１５ｃｍ前後、短軸を５ｃｍ前後とするのが好ましい。係止孔１５と第２スリット１３及び第３スリット１４との間隔は、１５ｃｍ前後が好ましい。
【００３５】
次に、板状体１１に使い捨ておむつＤの載置の仕方を説明する。締結部Ｄ５及び後見頃側サイドフラップＤ３を載置面側から第２スリット１３及び第１スリット１２に向かって蛇行状に折り返し挿通する。一方、締結部Ｄ６及び後見頃側サイドフラップＤ４を載置面側から第３スリット１４に挿通する。締結部Ｄ５及び後見頃側サイドフラップＤ３と締結部Ｄ６及び後見頃側サイドフラップＤ４とを第１スリット１２乃至第３スリット１４に挿通することによって、後述するように、被介護者と敷体との間に摺動挿入する際に、摺動摩擦によって、板状体１１のみが挿入され、使い捨ておむつＤが挿入箇所手前又は挿入途上で収縮するずれを阻止することができる。
【００３６】
次に、直線Ｌの中心近傍に位置する使い捨ておむつＤを載置面側から係止孔１５に押入する。後述するように、板状体１１は、湾曲させて使用するが、係止孔１５は、湾曲状態にする過程で、使い捨ておむつＤが、板状体１１から浮上するのを阻止する。前記した通り、係止孔１５の形状は、長軸が第１スリット１２乃至第３スリット１４の長手方向と平行になる方向に並列配置された楕円形状になっている。このような形状にすることにより、使い捨ておむつＤの厚みにより、容易に密実され、固定的に係止することが可能となる。なお、前記した通り、係止孔１５の周方向内側に係止突起を複数設けることにより、係止力を強化するようにしてもよい。
【００３７】
以上の通り、第１スリット１２乃至第３スリット１４及び係止孔１５を設けることにより、板状体１１に使い捨ておむつＤを固定載置することができる。
【００３８】
図３は、使い捨ておむつ取替え支援器具１で前記摺動挿入をする際に、使用する別体補助具２である。別体補助具２は、棒状の柄部２１と、柄部２１の長手方向一端に先端を円弧上に形成した挿入部２２と、から構成されている。別体補助具２は、使い捨ておむつ取替え支援器具１のように、後述する摺動挿入時に、湾曲しない剛性を有する。別体補助具２も、後述する機能を発揮するものであれば、特に、素材、形状、寸法は、図３のものに限定されないが、前記使い捨ておむつ取替え支援器具１の寸法例に対応させると、例えば、長手方向の全長が７５ｃｍ前後、柄部２１の幅が３ｃｍ前後、挿入部２２の幅が１５ｃｍ前後、厚さが０．２ｃｍ前後であることが好ましい。また、素材としては、前記剛性を有するものとして強化プラスチックを使用すればよい。
【００３９】
図４は、使い捨ておむつ取替え支援器具１を使用した使い捨ておむつＤの装着時の状態を模式的に示した図である。図４（ａ）は、別体補助具２を使用しない場合の例である。使い捨ておむつＤを固定載置した使い捨ておむつ取替え支援器具１を長手方向一端側１６から、仰向け状態の被介護者Ｂの後見頃側を宛がう位置で、被介護者Ｂの側方背部と敷体Ｍとの間に摺動挿入する。このとき、押し込み用取っ手１７を持って、一端側１６が被介護者Ｂと敷体Ｍとの間に挿入したときの敷体Ｍへの接地点を支点とし、被介護者Ｂの腰部の体型に沿って板状体１１を湾曲させ、矢印Ｆ方向に摺動挿入させれば、スムーズに使い捨ておむつＤを所定の装着位置に入れ込むことができる。さらに、一端側１６が前記挿入した側の側方背部から、反対側の側方背部に露出したときに、引き出し用取っ手１８を把持して引き抜けば、使い捨ておむつ取替え支援器具１をスムーズに使い捨ておむつの装着位置に移動させることができる。この間、被介護者Ｂは、仰臥のまま動かされることはないため、何らの負担を感じることはなく、また、介護者も使い捨ておむつ取替え支援器具１を差し込むだけ、あるいは必要に応じて引き出すだけであるため、作業負荷が大幅に軽減される。
【００４０】
一端側１６は、前記した通り、円弧状に形成することにより、挿入時の抵抗を最小限に抑え、よりスムーズな挿入を実現するとともに、先端が丸味を帯びているため、挿入時に、介護者の不注意等により、被介護者Ｂの側方背部の損傷などを防ぐことができる。
【００４１】
図４（ｂ）は、図３で説明した別体補助具２を使用した場合の例である。被介護者の体重が比較的重く、敷体Ｍと密着しているために、被介護者Ｂと敷体Ｍとの間に一端側１６を挿入するのが困難な場合、被介護者Ｂと一端側１６との間に別体補助具２の挿入部２２を挿入し、挿入部２２を固定したまま柄部２１で、前記湾曲方向に持ち上げることにより、被介護者Ｂを若干持ち上げて一端側１６を挿入する空隙を形成し、当該空隙から一端側１６を摺動挿入すればよい。このとき、別体補助具２は、使い捨ておむつ取替え支援器具１と異なり、前記剛性を有しているため、被介護者Ｂを容易に持ち上げることができる。一方、一端側１６が挿入できる範囲の空隙ができればよいため、被介護者Ｂの持ち上げに大きな力は要しない。一端側１６を挿入することができれば、別体補助具２は抜き取って、そのまま使い捨ておむつ取替え支援器具１を摺動挿入すればよい。
【００４２】
板状体１１の載置面は、前記シートに対して高摩擦係数の素材を備え、前記載置面と反対側の裏面は、前記被介護者が仰臥する敷体に対して低摩擦係数の素材を備えたものであってもよい。このような構成とすることにより、よりスムーズな摺動挿入が可能となる。
【００４３】
なお、装着済みの使い捨ておむつを交換する場合は、使い捨ておむつＤを固定載置した使い捨ておむつ取替え支援器具１を摺動挿入した後、既装着のおむつを展開状態にして、股間から膝方向にずらしてから、新たな使い捨ておむつＤを装着すればよい。この時、被介護者Ｂと敷体Ｍとの間には、使い捨ておむつ取替え支援器具１が介在しているため、万一、股間部の払拭時に汚物が漏れても、敷体Ｍを汚すことはない。
【符号の説明】
【００４４】
１                使い捨ておむつ取替え支援器具
１１              板状体
１２              第１スリット
１３              第２スリット
１４              第３スリット
１５              係止孔
１６              円弧状端部
１７              押し込み用取っ手
１８              引き出し用取っ手
Ｄ                使い捨ておむつ
Ｄ１              本体
Ｄ２              吸収体
Ｄ３、Ｄ４        後見頃側サイドフラップ
Ｄ５、Ｄ６、Ｄ９  締結部
Ｄ７、Ｄ８        前見頃側サイドフラップ
【図１】
2018000675.tif 000003
【図２】
2018000675.tif 000004
【図３】
2018000675.tif 000005
【図４】
2018000675.tif 000006